(57)【要約】【課題】  プリフォームを樹脂又はスラリーで充填するための方法及び装置を提供する。【解決手段】  本方法及び装置は、スラリーを収容するためのタンク（１０）とプリフォームを収容するためのオートクレーブ（１１）とを含む。タンク（１０）及びオートクレーブ（１１）は、それらに連結された共通の真空システムを有しており、またタンク（１０）は、オートクレーブ（１１）の上方に配置される。この構成は、真空及び重力を使用してタンク（１０）からオートクレーブ（１１）内のプリフォームにスラリーを移送するコンパクトな溶填システム（８）を提供する。【選択図】      図２
2005096436.tif 000002
【特許請求の範囲】
【請求項１】
プリフォームを充填するための真空使用可能な溶填システム（８）であって、
前記プリフォームを充填する材料を収容するためのタンク（１０）と、
前記タンク（１０）内に収容した材料で充填されることになるプリフォームを収容するためのオートクレーブ（１１）と、
前記タンク（１０）及びオートクレーブ（１１）に相互連結された共通の真空システムと、
を含み、
前記共通の真空システムが、前記タンク（１０）及びオートクレーブ（１１）を相互連結する配管を通して該タンク（１０）内に収容した材料をオートクレーブ（１１）に流して該オートクレーブに収容した前記プリフォームを充填するようにする、
溶填システム（８）。
【請求項２】
前記タンク（１０）が、オートクレーブ（１１）の上方に配置されている、請求項１記載の溶填システム（８）。
【請求項３】
前記タンク（１０）内に収容する材料を調製するためのボールミル（２０）をさらに含み、前記ボールミル（２０）及びタンク（１０）が、第２の配管（４４）及びポンプ（２１）を介して相互連結され、前記ポンプ（２１）を使用して前記第２の配管（４４）を通して前記材料をタンク（１０）に移送する、請求項１記載の溶填システム（８）。
【請求項４】
前記タンク（１０）及びオートクレーブ（１１）を相互連結する配管内に配置されて、該タンク（１０）からオートクレーブ（１１）への前記材料の流れを制御するようになったピンチ弁（２５）をさらに含む、請求項１記載の溶填システム（８）。
【請求項５】
前記材料が樹脂又はスラリーのいずれかである、請求項１又は請求項２記載の溶填システム（８）。
【請求項６】
前記タンク（１０）及びオートクレーブ（１１）間の材料の流れを制御しかつモニタするためのプログラマブル制御システム（５０）をさらに含む、請求項１記載の溶填システム（８）。
【請求項７】
前記プログラマブル制御システム（５０）が、溶填システム（８）の遠隔オペレータ制御を可能にするための複数の遠隔設置制御ステーションを含む、請求項６記載の溶填システム（８）。
【請求項８】
プリフォームを溶填材料で充填する方法であって、
タンク（１０）をオートクレーブ（１１）の上方に設置する段階と、
前記タンク（１０）及びオートクレーブ（１１）を共通の真空システムに連結する段階と、
真空及び重力の組合せを使用して前記タンク（１０）から溶填材料を流して、前記オートクレーブ（１１）内に配置したプリフォームを充填する段階と、
を含む方法。
【発明の詳細な説明】
【技術分野】
【０００１】
本発明は、多孔性複合材プリフォームをスラリー又は樹脂で充填するための統合式装置及び方法に関する。
【背景技術】
【０００２】
多孔性複合材プリフォームを微粒子状スラリー又は樹脂で充填することは、今日まで別個の装置部品を用いて別個の工程ではなされてきた。その結果、このような従来のシステム及び方法は、操作するのにもまた製作するのにも時間と費用の掛かるものであった。
【発明の開示】
【発明が解決しようとする課題】
【０００３】
本発明は、１つの共通な真空システムによって相互連結された３つの別個のチャンバを備えかつそれらを使用することを含む。スラリーを収容するタンクはオートクレーブの上方に配置され、タンク及びオートクレーブは共通の真空システムに連結されるのが好ましい。この構成の場合、真空及び重力を使用することによってタンクとオートクレーブとの間でスラリーを容易にかつ効率的に移送することが可能である。
【０００４】
その上、非溶浸スラリー／樹脂は有効なままであるので、非溶浸スラリー／樹脂は、ここでも真空及び重力によって収容タンク内に排出することができる。収容タンク内のスラリー／樹脂は、次ぎに供給タンクにポンプで揚送されることができるが、全てのタンクの真空レベルは同じであるので、スラリー／樹脂は、大気の影響により劣化することもなくまた捕捉空気を取込むこともなくなった。
【０００５】
高分子複合材産業では類似の方法が用いられており、それによってポリマーを有機繊維又はガラス繊維プリフォーム内に溶浸させている。しかしながら、ポリマーを１つのタンクから他のタンクに移送するのに差圧真空を使用している。
【課題を解決するための手段】
【０００６】
本発明では、１）スラリー／樹脂の調製、２）プリフォームの作製、３）スラリー／樹脂のプリフォームへの移送、４）プリフォームからのスラリー／樹脂の除去、５）スラリー／樹脂のリサイクル、６）スラリー／樹脂の初期乾燥の各工程を統合する。さらに、プリフォーム充填時に必要に応じて圧力を加えることも可能である。
【０００７】
スラリー／樹脂をバッチ処理するのに用いることになる従来型のボールミルは別にして、全ての工程は、同じ真空システムに連結した別々のチャンバ又は容器内で実施される。このことによって、容器間でのスラリー／樹脂の移送は真空及び重力を使用して行うことが可能になる。充填工程において圧力が必要な場合には、主チャンバを真空システムから分離し、その後加圧することになる。
【０００８】
この進歩性のある装置及び方法は、特にタービンシュラウド、タービンエンジンライナ及びその他のＳｉＣ製品を充填するのに適している。
【発明を実施するための最良の形態】
【０００９】
図１は、プラットホーム１３及びアクセス用はしご１２によって囲まれたオートクレーブ１１及びタンク１０を含むスラリー／樹脂溶填システム８を示す。図１にはまた、タンク１０、オートクレーブ１１及び後述する他の装置間の弁接続部用集中配置を構成する弁盤１４を示す。図１に示すように、タンク１０及びオートクレーブ１１は、比較的コンパクトかつアクセス可能な構成に統合されている。
【００１０】
作業プラットホーム１３及びはしご１２により、タンク１０にアクセスできる。この構造物は、全ての適用ＯＳＨＡ及び構内建築規約仕様に適合すべきである。
【００１１】
図２にスラリー／樹脂溶填システム８をより詳細に示す。図２では、タンク１０は、オートクレーブ１１とダイアフラム移送ポンプ２１を介してボールミル２０とに相互連結されるように示されている。ボールミル２０は、タンク１０及びオートクレーブ１１から遠く離れて壁の反対側に設置されるように示されている。
【００１２】
真空システム（図示せず）が、弁２２及び２３を介してタンク１０にかつさらに追加の弁２４を介してオートクレーブ１１に連結される。タンク１０とオートクレーブ１１との間の連結は、ピンチ弁２５を介してなされる。オートクレーブ１１はまた、１組の弁２６を介して真空システムにまた１組の弁２７を介して窒素供給源（図示せず）に連結される。オートクレーブ１１は１組の弁２８を通して通気され、この１組の弁２８は、１組の弁３０に直列に連結された酸素センサ２９と並列に配置されている。最後に、室内空気とこれもまた１組の弁３２を介して供給される加圧空気とが、ポンプ３１によってオートクレーブ１１に供給される。
【００１３】
オートクレーブ容器圧力が大気圧以上の時にプロセス弁が誤って開くのを防止するために、インタロックが設けられる。例えば、オートクレーブ１１内の過圧状態は、システム障害を引き起こし、窒素供給管路が封鎖されることになる。
【００１４】
オートクレーブ１１内にプログラム許容濃度を超える酸素が存在することは、システム障害を引き起こし、プラテン加熱エレメントへの電力の供給が阻止されることになる。酸素センサ２９は０〜２５％の範囲を有しており、また好ましくはセンサの損傷なしに２５％以上での酸素エクスカーションに耐えるべきである。
【００１５】
加熱プラテンに対する過熱状態は、システム障害を引き起こし、プラテン加熱エレメントへの電力供給停止を生じることになる。
【００１６】
内部圧力が僅かな許容差のほぼ大気圧帯域の範囲内にありかつオートクレーブ内の酸素含有量が１９．５％（平常値は２０．９％である）を超える濃度に回復するまで、オートクレーブドア開放機構内のインタロックにより、オートクレーブ内部への人間の侵入を阻止する。オートクレーブ１１は、弁４５を通して外気に通気することができ、またタンク１０は、弁４６を通して外気に通気することができる。
【００１７】
上述のインタロックの全ては、ハードワイヤードであり、インタロックを実施するためにソフトウェア制御システムを用いない。
【００１８】
ボールミル２０は、ＳｉＣスラリーを混合するために設けられる。この処理においては、粒度を縮小することは要求されない。
【００１９】
Ｎａｉｇｅｎｅ（登録商標）部品容器３５、３６が、移動式カート３８上に配置される。カート３８は、手押し車（図示せず）を用いて移動される。プリフォームは部品容器３５、３６内に配置され、パッケージ全体が手押し車から転動させてオートクレーブ１１内に下ろされる。移送管３９により、スラリー供給源が例えば部品容器３５に結合される。
【００２０】
ネオプレンダイアフラムを備えたステンレス鋼ダイアフラムポンプ２１が、圧力を供給してボールミル２０からタンク１０にスラリーを圧送する。ボールミル２０は弁３４を介してポンプ２１に連結され、また１組の弁３３が大気空気をポンプ２１に供給する。可撓性配管４４が一端部で吐出弁４３に連結され、またタンク側端部でピンチ弁４２に連結される。
【００２１】
２つの脱気方法が可能である。第1に、ボールミル２０からスラリーを移送する前にタンク１０を排気することができる。スラリーがタンク１０に入ると、スラリーは、タンクの壁面に向けられて脱気を促進する。それに代えて、スラリーの全投入量（およそ２０ガロン）を正常な状態下で移送し、バルク全体を脱気することができる。
【００２２】
スラリーをタンク１０内で攪拌するために、４つの内部タンクバッフル（図示せず）と共に４つのブレードパドルホイール形ミキサ４０が、設けられる。
【００２３】
真空状態（２８”Ｈｇ）の下で、スラリーは、自動ピンチ弁２５によってオートクレーブ１１内に計量して供給されることになる。オペレータは、覗き窓３７を通してオートクレーブ１１内のスラリーの液面レベルを判断することができ、充分なスラリーが移送された時に手動でピンチ弁２５を閉じる。
【００２４】
窒素供給源（図示せず）を用いてオートクレーブ１１に圧力を加える。圧力レベルは、図３に示すシステムプログラマブルロジック制御装置（ＰＬＣ）５０によってプログラムされかつ制御される。この例示的な実施形態では、最大圧力は１２５ｐｓｉである。
【００２５】
圧力は、周囲圧力まで減少（ランプ）される。ブロア（図示せず）により、オートクレーブ内に適当な流れを供給して、ドア（図示せず）を開くことができる前に安全な酸素濃度を保証する。先に指摘したように、オートクレーブ１１がまだ加圧状態にある時にドアを早く開き過ぎるのを防止するために、インタロックを備えたホイッスル弁が設けられる。
【００２６】
オートクレーブ１１が開かれた後に、ドレンポート４７により、部品容器３５から過剰なスラリーを除去することが可能になる。過剰なスラリーは、例えば可搬式リサイクルタンク４１内に排出することができる。
【００２７】
図６に示すように、システムの清掃は３つの独立した工程９５、９６及び９７で簡単に達成することができる。ボールミル２０及びダイアフラムポンプ２１は、ドレン弁を通して容器内に供給されるフラッシュ水を用いて工程９５で洗浄される。他の全てのホース及び移送管は、工程９６及び９７で示すような遠隔清掃のために迅速に切り離される。
【００２８】
ボールミル２０は、９０ガロンの総ミル容量及び６０ガロンのスラリー容量を有する。タンク１０は、ステンレス鋼で作られ、７５ガロンの容量を有するのが好ましい。オートクレーブ１１は、炭素鋼で作られ、４８”ｘ４８”ｘ３０”の容量を有するのが好ましい。リサイクルタンク４１は、２５ガロンの容量を有し、ステンレス鋼で作られるのが好ましい。
【００２９】
交換可能な可撓性ホースを備えたカム付き溝取付け金具を用いて、ダイアフラムポンプ２１からスラリータンク１０にスラリーを移送するようにする。スラリーと接触する全ての弁は、ピンチ弁として閉塞又は詰まりの可能性を減少させる。使用する他の全ての弁は、ボール弁、玉形弁、ダイアフラム弁又は電磁弁である。
【００３０】
樹脂混合は、遠隔の樹脂処理調製室内でなされる。樹脂は、可搬式タンク（図示せず）から部品容器３６内に投入される。オートクレーブ１１での処理は、下記の設定値又はパラメータ、すなわち、真空―２８”Ｈｇ真空能力、圧力―１２５ｐｓｉＮ２圧力能力、加熱―２時間で１５０°Ｃに昇温、１５０°Ｃで３０分間維持かつ加圧状態で加熱を止めて冷却すること、及び取出し―外気に通気し、オートクレーブ１１を開きかつ部品容器３６を取出すことを含むのが好ましい。
【００３１】
ボールミル２０からタンク１０へのスラリー移送は、以下のこと、すなわち、スラリー原料を手動によりはかりで計量すること、計量した原料をボールミル２０に移送すること、スラリー混合物をボールミル２０内で攪拌すること、及び空気駆動式ダイアフラム移送ポンプ２１により原料をボールミル２０からタンク１０に移送することを含む。
【００３２】
ポンプ２１を始動及び停止する制御装置は、ポンプ２１付近の制御ステーション（図示せず）及びタンク１０の位置での制御ステーション（図示せず）においてアクセス可能である。
【００３３】
タンク１０は、インタロックを用いて過剰充填を防止し、また弁４６を通して通気される。このシステムは、移送工程の間及び移送工程後に真空脱気することができる。スラリー収容タンクミキサ３９は、移送工程又は脱気サイクルの状態とは独立して始動及び停止させることができる。
【００３４】
図４に示すように、スラリー処理サイクルは、ステップ６０〜７３を含む。ステップ６０は、ボールミル２０内でスラリーを混合することを含む。ステップ６１は、収容タンク１０にスラリーを移送してスラリーを脱気することを含む。ステップ６２は、オートクレーブ１１の圧力を大気状態からプログラム真空レベルにすることを含む。ステップ６３は、オートクレーブ１１及びスラリー収容タンク１０内の真空を平衡させることを含む。ステップ６４は、オペレータ指令の下で、スラリー収容タンクとオートクレーブ１１との間の弁２５を開くことを含む。ステップ６５は、スラリー収容タンク１０をオートクレーブ１１から分離することを含む。ステップ６６は、オートクレーブ真空を解除する（大気圧にブリードする）ことを含む。ステップ６７は、ブランケット窒素圧力を加えることを含む。ステップ６８は、オートクレーブを初期ブリードすることを含む。ステップ６９は、オートクレーブ１１を最終減圧することを含む。ステップ７０は、窒素雰囲気をパージして正常の酸素濃度の回復を確認することを含む。ステップ７１は、オートクレーブドアを開きオートクレーブから部品を取出すことを含む。ステップ７２は、オートクレーブの外部で、過剰のスラリーを可搬式リサイクルタンク４１内に排出させることを含む。最後に、ステップ７３は、オートクレーブの外部で、プリフォームを空気乾燥するのを可能にすることを含む。
【００３５】
図５に示すように、樹脂処理サイクルは、ステップ８０〜９１を含む。ステップ８０は、混合室で樹脂を調製し、その樹脂を１つ又はそれ以上の混合タンクに移送することを含む。ステップ８１は、タンクをオートクレーブ１１に運搬することを含む。ステップ８２は、オートクレーブの外部で、混合タンクを加圧して樹脂をタンクから部品容器３６に移送することを含む。ステップ８３は、オートクレーブドアを開き、樹脂を満たした部品容器３６を転動させてオートクレーブ内に入れ、オートクレーブドアを閉じることを含む。ステップ８４は、真空サイクルが必要な場合、オートクレーブに真空を加え、プログラム真空サイクル（真空へのランプ（減少）及びドエル（滞留））を実行することを含む。真空が必要でない場合には、工程は、飛び越えてステップ８６に至る。ステップ８５は、オートクレーブ真空を解除する（大気圧にブリードする）ことを含む。ステップ８６は、ブランケット窒素圧力を加えることを含む。ステップ８７では、オートクレーブ酸素含有量が燃焼閾値以下である場合、プログラマブル温度サイクルが開始される。ステップ８８は、圧力制御装置内のプログラミングによって圧力サイクルを適用し、オートクレーブ圧力の初期ブリードを実施することを含む。ステップ８９は、大気圧近くまで最終減圧を実施することを含む。ステップ９０は、加熱エレメントから電力を遮断し、窒素雰囲気をパージし、かつ正常の酸素濃度の回復を確認することを含む。最後に、ステップ９１は、オートクレーブ１１のドアを開き、部品をオートクレーブ１１から取出すことを含む。
【００３６】
図３に示す制御システムは、３つの制御区域、すなわちオートクレーブ区域１００、スラリー収容区域２００及びスラリー調製区域３００を含む。ＰＬＣ５０を用いて、制御区域内及び該制御区域間のインタロックを管理し、一連の処理ステップを実行し、ハードワイヤード安全インタロックの状態をモニタし、システム要素を手動制御することを可能にし、また処理データを収集する。本システムは、ＧＥ３０／９０ＰＬＣを用いて上述の機能を実行するのが好ましい。
【００３７】
本システムは、グラフィカル・オペレータ・インタフェース端末装置（ＯＩＴ）５５を使用して、制御要素の状態と各処理区域内の制御ループに対する設定値及び処理変数とを制御しかつ観察する。ＯＩＴ５５は、３つの処理区域全ての処理作業を開始しまた中断するのに用いられる。具体的には、ＯＩＴ５５を用いて、スラリー収容区域における真空圧サイクルとオートクレーブ区域における真空、圧力及び加熱サイクルを開始する。ＯＩＴ５５は、各インタロックに関する１つ又は複数のセンサを検査するために全てのハードワイヤード安全インタロックのグラフィカル表示を提供する。
【００３８】
ＯＩＴ５５はまた、誤り制御又は制御不能処理ループに対するアラーム情報を提供する。個々の単一ループのプロセス制御装置５１、５２、５３、５４は、オートクレーブ区域及びスラリー収容区域間及びそれらの区域内での処理状態を調整するのに用いられる。
【００３９】
ビデオグラフィカル記録装置５６を設けて、処理サイクル時の実際の処理変数を記録する。ビデオグラフィカル記録装置５６にはイーサネット（登録商標）インタフェース及びＰＣＭＣＩＡメモリカードが設けられて、アーカイビング或いは更なる分析のために記録装置からＰＣ（図示せず）又は企業ネットワーク（図示せず）に処理データを転送するのを可能にする。処理状態に対する設定値パラメータが、ＯＩＴ５５により入力され、ＰＬＣ５０に送信され、個々のプロセス制御装置５１〜５４に中継されることになる。
【００４０】
ＰＬＣ５０と個々のプロセス制御装置５１〜５４との間に通信インタフェースが設けられ、この通信インタフェースが、プロセス制御装置５１〜５４に処理サイクルパラメータを伝送しまたプロセス制御装置５１〜５４からＰＬＣ５０に処理状態及びエラー状態を伝送するのを支援することができる。ＰＬＣ５０とプロセス制御装置５１〜５４との間のこの通信インタフェースは、Ｍｏｄｂｕｓであるのが好ましい。
【００４１】
オートクレーブ区域１００には、ソフトウェアプログラムインタロックを組み入れて、真空、正圧、加熱、通気及びＯＳＨＡ安全酸素濃度の回復間のプロセス移行を管理する。オートクレーブ区域１００にはまた、ハードワイヤード安全インタロックを組み入れて、以下の障害状態、すなわち、過圧力、燃焼を支持可能な酸素濃度が存在する状態での電気加熱の実施、加熱オートクレーブプラテンの過熱状態、ゼロゲージ圧に近くないオートクレーブ圧力が存在する状態でドアを開けようとすること、安全な酸素濃度（＞１９．５％Ｏ２）が存在しない状態でオートクレーブドアを開けようとすること、オートクレーブ圧力が大気圧よりも高い時にスラリー収容タンクとオートクレーブとの間の弁を開こうとすること、及びオートクレーブ圧力が大気圧よりも高い時にオートクレーブの大量通気弁及びブロワー弁を開こうとすることの影響を軽減する。
【００４２】
オートクレーブ１１には、覗き窓３７を通してオートクレーブ１１を観察する場合にオペレータがアクセスできる投入制御ステーション５８を組み入れる。オペレータは、制御ステーションから、オートクレーブ照明をオン／オフし、オートクレーブ１１及びスラリー収容タンク１０内の真空圧を平衡させ、両方の区域ともが均等な圧力であることを確認し、また高速及び低速でオートクレーブ１１内にスラリーを放出すのを制御することができる。制御ステーションは、システム障害状態が存在する場合にオペレータに知らせるための障害ランプを備えることになる。オートクレーブ区域はさらに、真空サイクル、圧力サイクル及び加熱サイクルに対するランプ率及びドエル時間を調整するためのプロセス制御装置を含む。
【００４３】
処理サイクルは、オートクレーブ１１が目標温度以下になるまで正常な酸素含有大気の回復を阻止するソフトウェアプログラムインタロックを含む。このインタロックは、可燃燃料（触媒作用を受けていない樹脂）、酸素及び発火源（高温）が同時に存在することによる潜在的な燃焼危険状態を防止するのを助ける。オートクレーブ１１には、自動制御弁を組み入れて、オートクレーブ内へのかつ該オートクレーブから外への流れを制御する。これらの事項には、真空下でのスラリー、オートクレーブとスラリー収容タンクとの間の真空バランス、窒素による加圧、真空度、様々な圧力状態下での通気、及び正常な大気の入替えを含む。
【００４４】
真空度の変化率及び真空圧をプロセス制御装置によりディジタル制御できるように、制御弁を設ける。同様に、圧力の変化率及び圧力をプロセス制御装置によりディジタル制御できるように、制御弁及び装置を設ける。別個のプロセス制御装置により、真空度及び圧力を制御する。
【００４５】
本システムは、真空状況においてランプ及びドエルサイクルを実行し、正ゲージ圧状況において加圧サイクルを実行することができる。プロセスシーケンスと安全インタロックの実施との目的で、圧力スイッチを用いて、真空状況、大気圧状況及び大気圧以上の状況間の移行を検出する。
【００４６】
オートクレーブは、最大４つのＫタイプ熱電対温度センサを支持する。３つの温度センサは、部品処理温度を調整するのに専用される。２つのセンサは、工具表面温度及び構成要素の温度の両方を測定するカスケード制御方式で用いられる。別の１つの温度センサは、独立した過熱インタロックのために用いられる。残りの温度センサは、汎用プロセスモニタ用に使用可能である。
【００４７】
オートクレーブ内圧力は、−１４．７ｐｓｉｇ〜１５０ｐｓｉｇまで検知することができる複合範囲圧力変換器を用いてモニタされる。圧力変換器は、ＢＲＲＡＩＮ強化型の４〜２０ｍＡ信号を供給する。圧力変換器には、局所圧力表示装置が組み入れられる。オートクレーブ圧力は、ＯＩＴ５５により見ることができる。
【００４８】
酸素センサ及び関連のアラーム装置を用いて、オートクレーブ内の現在の酸素含有量とオートクレーブ雰囲気が人間の曝露に安全であるか又は燃焼には不充分であるかどうかの酸素状態を表示する。加熱制御装置は、最大ヒーターワット数の１６ｋＷを支持するのに充分な大きさの寸法にされる。
【００４９】
スラリー収容区域２００には、真空ランプ率と真空圧における調整とを定めるプロセス制御装置が組み入れられる。タンク圧力が大気圧よりも低いか又は大気圧と等しい場合には、スラリー調製区域からスラリー収容タンクにスラリーを移送するのを阻止するか又は制限するための、スラリー収容タンクに基づいた特定のインタロックは、全く設けられない。スラリー収容タンク圧力が大気圧よりも高い場合には、スラリー収容タンクとスラリー調製区域との間の弁が開くのを阻止するためのハードワイヤードインタロックが設けられる。
【００５０】
スラリー収容タンクには、タンク内の補給液面レベルを検出するために４つのリミットスイッチが装備される。これらのスイッチは、低〜低、低、高、及び高〜高液面レベルアラームの根拠となる。正常最大補給液面レベルは、高液面レベルアラームである。液面スイッチの状態は、ＯＩＴ５５上に表示される。
【００５１】
スラリーミキサ４０は、ＯＩＴ５５により起動される。ミキサ４０には、ミキサシャフトが回転していることを確認するためのセンサが装備される。ミキサは、ギヤボックスを備えた三相交流誘導電動機によって駆動される。
【００５２】
タンク１０内の圧力は、−１４．７ｐｓｉｇ〜１５０ｐｓｉｇを検知することができる複合範囲圧力変換器を用いてモニタされる。圧力変換器は、ＢＲＡＩＮ強化型の４〜２０ｍＡ信号を供給する。圧力変換器には、局所圧力表示装置が組み入れられる。スラリー収容タンク圧力は、ＯＩＴ５５により見ることができる。
【００５３】
スラリー調製区域３００には、移送制御ステーション５９を組み入れて、ボールミル２０からタンク１０に樹脂を移送するのを可能にする。オペレータステーションには、「移送準備完了」を表示するライトが組み入れられる。このライトは、タンク１０が充満されていないこと、スラリー投入が実施中でない（バランス弁が閉じられかつスラリーピンチ弁が閉じられている）こと、及びタンク１０が大気以上の圧力状態でないことを意味する。押しボタンにより、移送処理を開始しまた停止する。
【００５４】
ポンプ吐出量は、供給空気圧力により制御される。この空気圧力を変更するために手動調節器が設けられる。「移送中」ライトは、空気がダイアフラム移送ポンプ２１に供給され、またスラリータンクピンチ弁４２が開いていることを示す。電磁弁３３を用いてダイアフラムポンプ２１への空気流を開始しまた停止する。圧力スイッチにより、電磁弁３３の作動を確認する。
【００５５】
スラリー収容タンク１０内の液面レベルが高又は高〜高限界値に達すると、ポンプ２１は、自動的に停止する。スラリー処理におけるアクチュエータの故障は、「移送障害」をもたらす。表示ランプが、スラリー調製制御ステーションに設けられる。ＯＩＴ５５は、全てのフィードバック装置に対する情報を表示する。
【００５６】
オペレータがスラリー調製区域をタンク１０に連結する可撓性ホース４４用の速動切離弁４３付近に位置する場合には、移送を開始／停止するための同一の移送制御ステーション５９’をタンク１０の位置に設ける。
【００５７】
現在最も実用的かつ好ましい実施形態であると考えられるものに関して本発明をこれまで説明してきたが、本発明は、開示した実施形態に限定されるものではなく、また、特許請求の範囲に記載された符号は、理解容易のためであってなんら発明の技術的範囲を実施例に限縮するものではない。
【図面の簡単な説明】
【００５８】
【図１】本発明の好ましい実施形態によるスラリー／樹脂溶填システムを示す図。
【図２】スラリー／樹脂溶填システムの主要構成要素をブロック概略形式で示す図。
【図３】スラリー／樹脂溶填システム用制御アーキテクチャのブロック図。
【図４】スラリー処理サイクルを示すフローチャート。
【図５】樹脂処理サイクルを示すフローチャート。
【図６】スラリー／樹脂溶填システムの清掃サイクルを示す図。
【符号の説明】
【００５９】
８  スラリー／樹脂溶填システム
１０  タンク
１１  オートクレーブ
２０  ボールミル
２１  ダイアフラム移送ポンプ
３１  ポンプ
３５、３６  部品容器
３８  移動式カート
４４  可撓性配管
【図１】
2005096436.tif 000003
【図２】
2005096436.tif 000004
【図３】
2005096436.tif 000005
【図４】
2005096436.tif 000006
【図５】
2005096436.tif 000007
【図６】
2005096436.tif 000008